(57)【要約】【課題】　本発明は、自動的に写真原稿の変倍率及び回転角を求めて作業の負担を軽減する。【解決手段】　割付指定紙１１を読み取りパラメータ検出手段２０によって割付画像データ上における原稿枠の高さ、水平に対する傾きを検出し、これと共に写真原稿１３を読み取って得られる原稿画像データからエッジ検出手段３０により被写体画像の高さ、エッジの仮の水平線に対する傾きを求め、倍率角度演算部４０により原稿枠の高さと被写体画像の高さとの比にラフ倍率を乗算して変倍率を求め、かつ被写体画像の傾きを原稿枠の傾きに合わせて回転角とする。【選択図】　　図１
2004118854.tif 000002
【特許請求の範囲】
【請求項１】
割付指定紙上における原稿枠の配置姿勢を検出するパラメータ検出手段と、
　原稿における被写体画像のエッジから配置姿勢を検出するエッジ検出手段と、
　このエッジ検出手段により検出された前記被写体画像の配置姿勢に基づいて前記原稿枠に合致する前記被写体画像の変倍率及び回転角を求める倍率角度演算手段と、
を具備したことを特徴とする自動倍率角度出し装置。
【請求項２】
割付指定紙を読み取ってこの割付指定紙上における原稿枠のサイズ及び傾きを検出するパラメータ検出手段と、
　原稿を読み取って得られる原稿画像データにおける被写体画像のエッジを検出するとともに少なくとも前記被写体画像の傾きを求めるエッジ検出手段と、
　このエッジ検出手段により検出された前記被写体画像のエッジ位置及び傾きに基づいて前記原稿枠に合致する前記被写体画像の変倍率及び回転角を求める倍率角度演算手段と、
を具備したことを特徴とする自動倍率角度出し装置。
【請求項３】
パラメータ検出手段は、製版トンボから水平出しを行い、この後に割付指定紙上における少なくとも原稿枠の高さ、水平に対する傾きを検出する機能を有することを特徴とする請求項１又は２記載の自動倍率角度出し装置。
【請求項４】
倍率角度演算手段は、パラメータ検出手段により検出された原稿枠の高さとエッジ検出手段により得られた被写体画像の高さとの比にラフ倍率を乗算して変倍率を求め、かつ前記エッジ検出手段により得られた被写体画像の傾きを前記パラメータ検出手段により検出された原稿枠の傾きに合わせて回転角とする機能を有することを特徴とする請求項１又は２記載の自動倍率角度出し装置。
【発明の詳細な説明】
【技術分野】
【０００１】
　本発明は、例えば写真原稿を分解するときに変倍率及び回転角を求める自動倍率角度出し装置に関する。
【背景技術】
【０００２】
　写真製版を作成する場合には、図１０に示すように割付指定紙に写真を貼り込む原稿枠を記載し、この原稿枠に対して貼り込む写真の変倍率、回転角が予め測定される。
【発明の開示】
【発明が解決しようとする課題】
【０００３】
　しかしながら、倍率角度測定機を用いて写真原稿の変倍率及び回転角を測定し、これら変倍率及び回転角をスキャナーに指示入力するのでは、作業員を介して変倍率及び回転角を測定し、かつこれらをスキャナーに指示入力することになり、作業員に対する負担が大きく、かつ作業効率を低下させる原因となる。
【０００４】
　そのうえ、非常に簡単なレイアウト指定の割付指定紙の場合でも、倍率角度測定機を用いて作業員を介して写真原稿の変倍率及び回転角を測定しなければならない。
【０００５】
　又、作業員を介して変倍率及び回転角をスキャナーに指示入力を行うので、指示入力ミスを生じることがある。そこで本発明は、自動的に写真原稿の変倍率及び回転角を求めて作業の負担を軽減できる自動倍率角度出し装置を提供することを目的とする。
【０００６】
　又、本発明は、自動的に写真原稿の変倍率及び回転角を求めて作業の負担を軽減でき、かつ変倍率及び回転角の指示ミスを防止できる自動倍率角度出し装置を提供することを目的とする。
【課題を解決するための手段】
【０００７】
　本発明はかかる課題を解決するものであり、請求項１によれば、割付指定紙上における原稿枠の配置姿勢を検出するパラメータ検出手段と、原稿における被写体画像のエッジから配置姿勢を検出するエッジ検出手段と、このエッジ検出手段により検出された被写体画像の配置姿勢に基づいて原稿枠に合致する被写体画像の変倍率及び回転角を求める倍率角度演算手段と、を備えて上記目的を達成しようとする自動倍率角度出し装置である。
【０００８】
　請求項２によれば、割付指定紙を読み取ってこの割付指定紙上における原稿枠の寸法及び傾きを検出するパラメータ検出手段と、原稿を読み取って得られる原稿画像データにおける被写体画像のエッジを検出するエッジ検出手段と、このエッジ検出手段により検出された被写体画像のエッジ位置に基づいて原稿枠に合致する被写体画像の変倍率及び回転角を求める倍率角度演算手段と、を備えて上記目的を達成しようとする自動倍率角度出し装置である。
【０００９】
　請求項３によれば、パラメータ検出手段は、製版トンボから水平出しを行い、この後に割付指定紙上における少なくとも原稿枠の高さ、水平に対する傾きを検出する機能を有する自動倍率角度出し装置である。
【００１０】
　請求項４によれば、倍率角度演算手段は、パラメータ検出手段により検出された原稿枠の高さとエッジ検出手段により得られた被写体画像の高さとの比にラフ倍率を乗算して変倍率を求め、かつエッジ検出手段により得られた被写体画像の傾きをパラメータ検出手段により検出された原稿枠の傾きに合わせて回転角とする機能を有する自動倍率角度出し装置である。
【００１１】
　[作用]
　請求項１によれば、パラメータ検出手段により割付指定紙上における原稿枠の配置姿勢を検出し、エッジ検出手段により原稿における被写体画像のエッジから配置姿勢を検出し、このエッジ検出手段により検出された被写体画像の配置姿勢に基づいて原稿枠に合致する被写体画像の変倍率及び回転角を倍率角度演算手段により求める。
【００１２】
　請求項２によれば、パラメータ検出手段により割付指定紙を読み取って原稿枠の寸法及び傾きを検出し、これと共にエッジ検出手段により原稿を読み取って得られる原稿画像データにおける被写体画像のエッジを検出し、このエッジ検出手段により検出された被写体画像のエッジ位置に基づいて倍率角度演算手段によって原稿枠に合致する被写体画像の変倍率及び回転角を求める。これにより、自動的に写真原稿の変倍率及び回転角を求めて作業の負担を軽減できる。
【００１３】
　請求項３によれば、パラメータ検出手段において製版トンボから水平出しを行い、この水平ラインに基づいて割付指定紙上における少なくとも原稿枠の高さ、傾きを検出する。
【００１４】
　請求項４によれば、倍率角度演算手段において原稿枠の高さと被写体画像の高さとの比にラフ倍率を乗算して変倍率を求め、かつ被写体画像の傾きを原稿枠の傾きに合わせて回転角とする。
【発明の効果】
【００１５】
　本発明によれば、自動的に写真原稿の変倍率及び回転角を求めて作業の負担を軽減できる自動倍率角度出し装置を提供できる。又、本発明は、自動的に写真原稿の変倍率及び回転角を求めて作業の負担を軽減でき、かつ変倍率及び回転角の指示ミスを防止できる自動倍率角度出し装置を提供できる。
【発明を実施するための最良の形態】
【００１６】
　以下、本発明の一実施例について図面を参照して説明する。図１は自動倍率角度出し装置の構成図である。割付用スキャナー１０は、簡易平面スキャナーであって、割付指定紙１１を読み取ってその割付画像データを出力するものである。
【００１７】
　又、原稿用スキャナー１２は、高品質平面スキャナーであって、写真原稿１３、例えば３５ｍｍフィルム、ブローニ、４×５を読み取ってその原稿画像データを出力するものである。
【００１８】
　一方、主制御部１４には、プログラムメモリ１５、各記憶装置１６、１７、入力部１８を介してキーボード１９又はマウス、及びモニタ用ＣＲＴディスプレイ２０が接続されている。
【００１９】
　このうち各記憶装置１６、１７には、割付用スキャナー１０、原稿用スキャナー１２から出力される各画像データがそれぞれ記憶されるものとなっている。主制御部１４は、装置全体を統括制御するもので、プログラムメモリ１５に記憶されている図２の倍率角度出しフローチャートに従って各指令を発し、パラメータ検出手段２０、エッジ検出手段３０、及び倍率角度演算部４０が作動する機能を有している。
【００２０】
　パラメータ検出手段２０は、記憶装置１６に記憶された割付画像データを読み取り、この割付画像データ上の割付指定紙１１における原稿枠の寸法及び傾きを検出する機能を有するもので、具体的には水平出し部２１、画像切出部２２、原稿枠検出部２３、及びパラメータ演算部２４の各機能を有している。
【００２１】
　水平出し部２１は、割付画像データ上における割付指定紙１１の各製版トンボを検出し、これら製版トンボから水平だしを行って割付指定紙１１の水平及び垂直方向を設定する機能を有している。
【００２２】
　画像切出部２２は、写真原稿１３における割付指定紙１１の原稿枠に合致する領域がキーボード１９から指定入力されると、この原稿枠に合致する領域の画像データを割付画像データから切り出す機能を有している。
【００２３】
　原稿枠検出部２３は、割付画像データの濃淡レベルを検出し、この濃淡レベルの低下するところから割付指定紙１１上の原稿枠を検出する機能を有している。パラメータ演算部２４は、原稿枠検出部２３により検出された原稿枠の高さ、幅、及び水平に対する傾きを検出する機能を有している。
【００２４】
　一方、エッジ検出手段３０は、写真原稿１３を読み取って得られる原稿画像データにおける被写体画像のエッジを検出する機能を有するもので、具体的には原稿判別部３１、エッジ抽出部３２、及び傾き演算部３３の各機能を有している。
【００２５】
　原稿判別部３１は、原稿画像データを読み取って写真原稿１３の種別、例えば３５ｍｍ写真フィルム、ブローニ又は４×５を判別する機能を有している。すなわち、図３(a) 〜(c) は３５ｍｍ写真フィルム、ブローニ、４×５の各写真原稿１３を示している。これら写真原稿１３は、それぞれ黒縁１３ａ〜１３ｃが形成されている。そして、これら黒縁１３ａ〜１３ｃの寸法は、各写真原稿１３の種別ごとにそれぞれ異なったものとなっている。
【００２６】
　従って、原稿判別部３１は、写真原稿１３の種別ごとの黒縁１３ａ〜１３ｃの各寸法ａ1 〜ａ3 、ｂ1 〜ｂ3 を予め保持し、これら寸法から写真原稿１３の種別を判別するとともに写真原稿１３の縁の位置のあたりを付ける機能を有している。
【００２７】
　エッジ抽出部３２は、原稿画像データの濃淡レベルを読み取り、この濃淡レベルの急激に変化するところを写真原稿１３上の黒縁と被写体画像との境界線（被写体画像のエッジ）として検出する機能を有している。
【００２８】
　このエッジ抽出部３２は、濃淡レベルの急激変化を例えば空間フィルタ（ラプラシアン）、フリーエ変換処理により検出する機能を有している。傾き演算部３３は、キーボード１９から入力されるラフ倍率を受け、かつエッジ抽出部３２より抽出された原稿画像データ上の被写体画像のエッジの仮の水平線に対する傾き、及び被写体画像の高さ、幅を演算して求める機能を有している。
【００２９】
　倍率角度演算部４０は、エッジ検出手段３０により検出された被写体画像のエッジ位置に基づいて割付指定紙１１上の原稿枠に合致する被写体画像の変倍率及び回転角を求める機能を有している。
【００３０】
　次に上記の如く構成された装置の作用について図２に示す倍率角度出しフローチャート及び図４に示す倍率角度出しの作業流れ図に従って説明する。この倍率角度出しの作業は、割付指定紙１１に対する読み込みの作業と写真原稿１３に対する読み込みの作業とが並行して行われる。
【００３１】
　先ず、割付指定紙１１に対する読み込みの作業について説明する。割付用スキャナー１０は、割付指定紙１１を読み取ってその割付画像データを出力する。
【００３２】
　なお、この割付用スキャナー１０による割付指定紙１１の読み取りに際しては、回転角の指定はされていない。又、レゾリューションは固定となっている。この割付用スキャナー１０から出力された割付画像データは、ステップ＃１において記憶装置１６に記憶される。
【００３３】
　次に水平出し部２１は、ステップ＃２において記憶装置１７に記憶されている割付画像データを読み出し、この割付画像データをモニタ用ＣＲＴディスプレイ２０に図５に示すように割付水平出し用の画面として表示出力する。
【００３４】
　この割付水平出し用の画面には、割付指定紙１１の画像が表示されるとともに「水平基準２点を指示」という作業指示が表示される。ここで、作業員によるキーボード１９又はマウスの操作により割付指定紙１１の各製版トンボ５０の位置が指示されると、水平出し部２１は、これら製版トンボ５０を検出し、これら製版トンボ５０から水平だしを行って割付指定紙１１の水平及び垂直方向を設定する。
【００３５】
　次に画像切出部２２は、モニタ用ＣＲＴディスプレイ２０の表示画面を図６に示す作業員によるキーボード１９又はマウスの操作を受けて割付領域指示の表示画面に切り替える。
【００３６】
　この割付領域指示の表示画面には、割付領域指定用の割付指定紙１１の画像が表示されるとともに、その領域ナンバーＮＯ、画像名、なりいきの各指示欄が表示されている。
【００３７】
　ここで、作業員によるキーボード１９又はマウスの操作により図６に示すように割付指定紙１１の各原稿枠「１」〜「３」を含む各領域のコーナが指示されると、画像切出部２３は、ステップ＃３においてこれらコーナ座標から各原稿枠「１」〜「３」を含む領域を認識し、これら領域に合致する各画像データを切り出す。
【００３８】
　又、作業員によるキーボード１９又はマウスの操作により各原稿枠「１」〜「３」の各画像名、なりいきが指示入力されると、画像切出部２３は、これら画像名、天地又は左右のなりいきを各原稿枠「１」〜「３」を含む各領域ごとに設定する。
【００３９】
　次に原稿枠検出部２３は、各原稿枠「１」〜「３」の各領域の濃淡レベルを検出し、この濃淡レベルの低下するところから割付指定紙１１上の原稿枠「１」〜「３」を検出する。
【００４０】
　次にパラメータ演算部２４は、ステップ＃４において原稿枠検出部２３により検出された割付画像データ上の原稿枠、例えば図７に示す原稿枠の高さｍ、幅ｎ、及び水平出し部２１の水平出しによる水平基準線に対する傾きθを検出する。
【００４１】
　次に主制御部１４は、割付画像データ上の全ての原稿枠「１」〜「３」に対する高さｍ、幅ｎ及び傾きθの検出を終了したかを判断し、終了したならばこれら原稿枠「１」〜「３」ごとの高さｍ、幅ｎ及び傾きθを例えば記憶装置１６に記憶する。
【００４２】
　一方、写真原稿１３に対する読み込み作業について説明する。原稿用スキャナー１２は、写真原稿１３を読み取ってその原稿画像データを出力する。この原稿用スキャナー１２から出力された原稿画像データは、ステップ＃１０において記憶装置１７に記憶される。
【００４３】
　なお、この原稿用スキャナー１２による写真原稿１３の読み取りに際しては、ラフ倍率がキーボード１９を通して入力され、このラフ倍率ｒが記憶装置１７に記憶される。
【００４４】
　次に原稿判別部３１は、記憶装置１７に記憶された原稿画像データを読み取り、予め保持している図３に示す各写真原稿１３の種別ごとの各黒縁１３ａ〜１３ｃの寸法との対照比較を行って写真原稿１３の種別、例えば３５ｍｍ写真フィルム、ブローニ又は４×５を判別し、かつその写真原稿１３の縁の位置のあたりを付ける。
【００４５】
　ここで、原稿用スキャナー１２から画像入力する写真原稿１３が複数毎あれば、原稿用スキャナー１２からはこれら写真原稿１３の各原稿画像データが順次読み込まれ、その都度作業員のキーボード１９又はマウスの操作により各写真原稿１３の画像ナンバーＮＯが入力される。なお、画像ナンバーＮＯは、割付指定紙１１の各原稿枠「１」〜「３」に設定した各領域ＮＯに対応している。
【００４６】
　次にエッジ抽出部３２は、ステップ＃１１において、記憶装置１７に記憶されている原稿画像データの濃淡レベルを空間フィルタを通して読み取り、この濃淡レベルの急激に変化するところ、つまり図８に示すように写真原稿１３上の黒縁１３ａと被写体画像１３ｂとの境界線１３ｃを検出する。
【００４７】
　次に傾き演算部３３は、エッジ抽出部３２より抽出された原稿画像データ上の各境界線１３ｃから被写体画像１３ｂのエッジ位置を検出し、かつ図９に示すように被写体画像１３ｂの仮の水平線に対する傾きθ´、及び被写体画像１３ｂの高さｍ´、幅ｎ´を演算して求める。
【００４８】
　次に倍率角度演算部４０は、パラメータ演算部２４により検出された原稿枠の高さｍと傾き演算部３３により得られた被写体画像１３ｂの高さｍ´との比にラフ倍率ｒを乗算して変倍率を求める。すなわち、 変倍率＝（ｍ／ｍ´）×ｒ …(1) である。
【００４９】
　又、倍率角度演算部４０は、パラメータ演算部２４により得られた被写体画像１３ｂの傾きθ´をパラメータ演算部２４により検出された原稿枠の傾きθに合わせて回転角とする。すなわち、 回転角＝θ´＝θ …(2) である。
【００５０】
　この後、これら変倍率及び回転角に基づいて原稿画像データが修正され、割付指定紙１１に基づいた製版が作成される。このように上記一実施例においては、割付指定紙１１を読み取ってその画像データ上における原稿枠の高さ、水平に対する傾きを検出し、これと共に写真原稿１３を読み取って得られる原稿画像データにおける被写体画像の高さ、エッジの仮の水平線に対する傾きを求め、これら原稿枠の高さと被写体画像の高さとの比にラフ倍率を乗算して変倍率を求め、かつ被写体画像の傾きを原稿枠の傾きに合わせて回転角とするようにしたので、自動的に写真原稿１３の変倍率及び回転角を求めることができて倍率角度出し機のような別機器を必要とせず、作業の負担を軽減できる。
【００５１】
　そのうえ、写真原稿１３の変倍率及び回転角を作業員を介さずに自動的に求めるので、これら変倍率及び回転角の指示ミスを防止できる。又、パラメータ検出手段２０では、製版トンボ５０から水平出して割付指定紙１１上の原稿枠の高さｍ、幅ｎ、水平に対する傾きθを検出するので、これら高さｍ、幅ｎ及び傾きθを正確に検出でき、写真原稿１３の変倍率及び回転角の求める際のパラメータの精度を高くできる。
【００５２】
　又、エッジ検出手段３０は、原稿画像データにおける被写体画像１３ｂのエッジを抽出し、このエッジの仮の水平線に対する傾きθ´を得るので、この被写体画像１３ｂの傾きθ´を原稿枠の傾きθに正確に合わせることができ、精度高い回転角を得ることができる。
【００５３】
　さらに、エッジ検出手段３０は、写真原稿１３の種類を判別するので、例えば３５ｍｍ写真フィルム、ブローニ、４×５の各写真原稿１３に対して適用でき、さらにその写真原稿１３の種類を増加できる。
【図面の簡単な説明】
【００５４】
【図１】本発明に係わる自動倍率 角度出し装置の一実施例を示す構成図。
【図２】倍率角度出しフローチャート。
【図３】各種写真原稿の寸法を示す図。
【図４】倍率角度出しの作業流れ図。
【図５】割付水平出し用の画面を示す図。
【図６】割付領域指示の表示画面を示す図。
【図７】原稿枠の高さ、幅及び傾きの検出を示す模式図。
【図８】写真原稿のエッジ抽出を示す図。
【図９】写真原稿の高さ、幅及び傾きの検出を示す模式図。
【図１０】従来の写真原稿の変倍率及び回転角の測定作業を示す図。
【符号の説明】
【００５５】
１０…割付用スキャナー、１１…割付指定紙、１２…原稿用スキャナー、１３…写真原稿、１４…主制御部、１６，１７…記憶装置、１９…キーボード、２０…モニタ用ＣＲＴディスプレイ、２０…パラメータ検出手段、２１…水平出し部、２２…画像切出部、２３…原稿枠検出部、２４…パラメータ演算部、３０…エッジ検出手段、３１…原稿判別部、３２…エッジ抽出部、３３…傾き演算部、４０…倍率角度演算部。
【図１】
2004118854.tif 000003
【図２】
2004118854.tif 000004
【図３】
2004118854.tif 000005
【図４】
2004118854.tif 000006
【図５】
2004118854.tif 000007
【図６】
2004118854.tif 000008
【図７】
2004118854.tif 000009
【図８】
2004118854.tif 000010
【図９】
2004118854.tif 000011
【図１０】
2004118854.tif 000012